(57)【要約】【課題】高効率なかご形誘導電動機を提供する。【解決手段】本発明は、固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、回転子鉄心の両端にエンドリングを有する回転子を備えたかご形誘導電動機において、回転子鉄心が複数のブロックで構成され、回転子鉄心の各ブロック間に環状の短絡リングを設けて回転子導体を短絡し、固定子の積厚よりも回転子の積厚を大きくした。【選択図】図１
2011211789.tif 000002
【特許請求の範囲】
【請求項１】
固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、前記回転子鉄心の両端にエンドリングを有する回転子を備えたかご形誘導電動機において、
前記固定子の積厚よりも前記回転子の積厚を大きくしたことを特徴とするかご形誘導電動機。
【請求項２】
固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、前記回転子鉄心の両端にエンドリングを有する回転子を備えたかご形誘導電動機において、
前記回転子鉄心が複数のブロックで構成され、前記回転子鉄心の各ブロック間に環状の短絡リングを設けて前記回転子導体を短絡し、前記固定子の積厚よりも前記回転子の積厚を大きくしたことを特徴とするかご形誘導電動機。
【請求項３】
第２項記載のかご形誘導電動機において、
前記短絡リングの幅を、前記回転子スロット幅より大きく、かつ回転子スロット間隔よりも小さい範囲としたことを特徴とするかご形誘導電動機。
【請求項４】
第２項記載のかご形誘導電動機において、
前記回転子鉄心の各ブロックに設ける前記回転子スロットは、シャフト方向に、かつブロックごとに互い違い位置に設けられることを特徴とするかご形誘導電動機。
【請求項５】
第２項記載のかご形誘導電動機において、
前記回転子鉄心の各ブロック間に設けられた環状の前記短絡リングは、ダイカスト部分と、非ダイカスト部分で構成されることを特徴とするかご形誘導電動機。
【請求項６】
第２項記載のかご形誘導電動機において、
前記固定子鉄心を複数のブロックで構成し、ブロック間に絶縁部を設けたことを特徴とするかご形誘導電動機。
【請求項７】
第２項記載のかご形誘導電動機において、
複数のブロックで構成された前記回転子鉄心は、ブロック幅を相違するようにされたことを特徴とするかご形誘導電動機。
【請求項８】
第２項記載のかご形誘導電動機において、
前記固定子の積厚は、前記回転子の積厚の幅内にあるとともに、前記固定子の積厚の端部と、前記回転子の積厚の端部の間のシャフト方向の距離が、シャフトの左右で相違するようにされたことを特徴とするかご形誘導電動機。
【請求項９】
固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、前記回転子鉄心の両端にエンドリングを有する回転子を備えたかご形誘導電動機において、
前記固定子鉄心と前記回転子鉄心が積層鉄心で構成され、積層鉄心の薄板の枚数が等しく、前記固定子鉄心よりも前記回転子鉄心の占積率を小さくし、前記固定子の積厚よりも前記回転子の積厚を大きくしたことを特徴とするかご形誘導電動機。
【請求項１０】
第９項記載のかご形誘導電動機において、
前記固定子の積厚は、前記回転子の積厚の幅内にあるとともに、前記固定子の積厚の端部と、前記回転子の積厚の端部の間のシャフト方向の距離が、シャフトの左右で相違するようにされたことを特徴とするかご形誘導電動機。
【請求項１１】
第９項記載のかご形誘導電動機において、
前記回転子スロットをシャフトに斜めに形成して回転子導体を埋め込んだことを特徴とするかご形誘導電動機。
【請求項１２】
第１１項記載のかご形誘導電動機において、
前記固定子の積厚は、前記回転子の積厚の幅内にあるとともに、前記固定子の積厚の外部に位置する前記回転子の積厚の幅内の回転子スロットをシャフト方向に形成して回転子導体を埋め込んだことを特徴とするかご形誘導電動機。
【発明の詳細な説明】
【技術分野】
【０００１】
本発明は、かご形誘導電動機に係わり、特に効率向上を図ったかご形誘導電動機に関する。
【背景技術】
【０００２】
従来のかご形誘導電動機において、回転子のスキュー構造に関する公知例として、特許文献１及び特許文献２には、各ブロック間に環状の短絡リングを設けて回転子導体を短絡した従来技術を開示している。
【先行技術文献】
【特許文献】
【０００３】
【特許文献１】特開平７−１６３１０８号公報
【特許文献２】特開昭５７−４９３５７号公報
【発明の概要】
【発明が解決しようとする課題】
【０００４】
特許文献１及び特許文献２の従来技術は、回転子のスキュー構造に関する技術であるが、短絡リングを設けた位置で磁気抵抗が大きくなり、無負荷電流が増加して効率が低下する。
【０００５】
本発明の目的は、高効率なかご形誘導電動機を提供することである。
【課題を解決するための手段】
【０００６】
本発明においては、固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、回転子鉄心の両端にエンドリングを有する回転子を備えたかご形誘導電動機において、固定子の積厚よりも回転子の積厚を大きくした。
【０００７】
本発明においては、固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、回転子鉄心の両端にエンドリングを有する回転子を備えたかご形誘導電動機において、回転子鉄心が複数のブロックで構成され、回転子鉄心の各ブロック間に環状の短絡リングを設けて回転子導体を短絡し、固定子の積厚よりも回転子の積厚を大きくした。
【０００８】
また、短絡リングの幅を、回転子スロット幅より大きく、かつ回転子スロット間隔よりも小さい範囲とした。
【０００９】
また、回転子鉄心の各ブロックに設ける回転子スロットは、シャフト方向に、かつブロックごとに互い違い位置に設けられるのがよい。
【００１０】
また、回転子鉄心の各ブロック間に設けられた環状の短絡リングは、ダイカスト部分と、非ダイカスト部分で構成されるのがよい。
【００１１】
また、固定子鉄心を複数のブロックで構成し、ブロック間に絶縁部を設けもうけるのがよい。
【００１２】
また、複数のブロックで構成された回転子鉄心は、ブロック幅を相違するようにされがよい。
【００１３】
また、固定子の積厚は、回転子の積厚の幅内にあるとともに、固定子の積厚の端部と、回転子の積厚の端部の間のシャフト方向の距離が、シャフトの左右で相違するようにされるのがよい。
【００１４】
本発明においては、固定子鉄心の内周近くに間隔を置いて設置された多数の固定子スロットに、固定子巻線を巻装した固定子と、回転子鉄心の外周近くに間隔を置いて設置された多数の回転子スロットに、回転子導体を埋め込み、回転子鉄心の両端にエンドリングを有する回転子を備えたかご形誘導電動機において、固定子鉄心と回転子鉄心が積層鉄心で構成され、積層鉄心の薄板の枚数が等しく、固定子鉄心よりも回転子鉄心の占積率を小さくし、固定子の積厚よりも回転子の積厚を大きくした。
【００１５】
また、固定子の積厚は、回転子の積厚の幅内にあるとともに、固定子の積厚の端部と、回転子の積厚の端部の間のシャフト方向の距離が、シャフトの左右で相違するようにされるのがよい。
【００１６】
また、回転子スロットをシャフトに斜めに形成して回転子導体を埋め込むのがよい。
【００１７】
また、固定子の積厚は、回転子の積厚の幅内にあるとともに、固定子の積厚の外部に位置する回転子の積厚の幅内の回転子スロットをシャフト方向に形成して回転子導体を埋め込むのがよい。
【発明の効果】
【００１８】
本発明によれば、高効率なかご形誘導電動機を提供できる。
【図面の簡単な説明】
【００１９】
【図１】回転子を分割し回転子積厚を大きくした例を示す図。
【図２】本発明の効果を示す図。
【図３】占積率により回転子積厚を大きくした例を示す図。
【図４】図３構成の変形例を示す図。
【図５】図１構成において、短絡リング幅を、スロット幅とした例を示す図。
【図６】図１構成において、短絡リング幅を、スロット間隔とした例を示す図。
【図７】図１構成において、短絡リングをダイカストと非ダイカストで構成した例を示す図。
【図８】図７構成において、非ダイカスト部を塊状とした例を示す図。
【図９】図１構成において、ブロック幅を相違させた例を示す図。
【図１０】図１構成において、ブロックを３分割し、かつその幅を相違させた例を示す図。
【図１１】図１構成において、積厚差を固定子左右に不均衡配置した図。
【発明を実施するための形態】
【００２０】
以下、図示した実施例に基づいて、本発明を詳細に説明する。まず、本発明のかご形誘導電動機の各実施例が標準的に備える基本構成について説明する。
【００２１】
図１は、本発明の一実施例によるかご形誘導電動機の部分断面図（同図上部）と回転子の正面図（同図下部）である。図１のかご形誘導電動機の主要部は、固定子１０と、回転子２０と、シャフト２５を備える。
【００２２】
このうち、図１上の部分断面図に示すように、固定子１０は、固定子鉄心１１と、固定子鉄心１１の内周近くに間隔を置いて設置された多数の固定子スロット１２と、固定子スロット１２に巻装された固定子巻線１３を備える。
【００２３】
回転子２０は、回転子鉄心２１と、回転子鉄心２１の外周近くに間隔を置いて設置された多数の回転子スロット２２と、回転子スロット２２に埋め込まれた回転子導体２３と、回転子鉄心２１の両端に設置されたエンドリング２４とを備える。
【００２４】
本発明のかご形誘導電動機の各実施例が標準的に備える基本構成は、以上のようなものであるが、個々の実施例において相違する部分あるいは付加した構成がある場合には、個別の実施例において別途説明する。
【００２５】
以上の基本構成において、本発明では固定子の積厚よりも回転子の積厚を大きくしたものである。そしてこの結果として、図２に示すように無負荷電流を低減でき、それにより効率を向上したものである。
【００２６】
以下、図１と、図４から図１０を用いて「固定子の積厚よりも回転子の積厚を大きく」する第１の具体策とその応用事例について説明し、図３と、図１１を用いて第２の具体策とその応用事例について説明する。
【実施例】
【００２７】
第１の具体策について、図１で説明する。
第１の具体策では、「固定子の積厚Ｌｓよりも回転子の積厚Ｌｒを大きく」するために、回転子鉄心２１を複数のブロック（２１Ａと２１Ｂ）で構成し、各ブロック間に環状の短絡リング２６を設けて回転子導体２３を短絡している。つまり、短絡リング２６の幅を利用して、回転子の積厚を大きくしている。
【００２８】
次に、固定子１０と回転子２０の積厚の取り扱いについて検討する。まず、短絡リング２６の幅ａについてみると、図１では回転子スロット２２の間隔ｃの半分としたが、回転子スロット２２の幅ｂ以上、かつ回転子スロット２２の間隔ｃ以下とすればよい。このことについては、以下の実施例で詳細に説明する。
【００２９】
回転子鉄心２１の積厚は、固定子鉄心１１よりも、ｄおよびｅだけ大きくする。つまり、図１の例では固定子右側にｅ、左側にｄの幅を持たせる。実施例では短絡リング２６の幅ａは、ｄとｅの和と等しく、かつｄとｅの大きさを等しくしている。但し、ａはｄとｅの和と等しくなくてもよく、かつｄとｅが等しくなくてもよい。いずれの場合であっても、固定子１０よりも回転子２０の積厚を大きくしているため、磁気抵抗の増大を緩和でき無負荷電流を低減して効率の向上ができる。
【００３０】
第１の具体策によれば、短絡リング２６を設けた位置で磁気抵抗が大きくなるが、固定子１０よりも回転子２０の積厚を大きくしているため磁気抵抗の増大を緩和でき、図２のように無負荷電流を低減して効率の向上ができる。
【００３１】
図２は、従来技術によるかご形誘導電動機の特性を１００とした場合における本実施例によるかご形誘導電動機の特性を示している。無負荷電流は、従来の１００ポイントから９１．４ポイントに低減でき、それにより効率を従来の１００ポイントから１０１．５ポイントに向上できる。
【００３２】
第１の具体策では、以上のようにして、磁気抵抗の増大を緩和し無負荷電流を低減して効率の向上を図っているが、図１はそれ以外にも幾つかの点で工夫されている。具体的には、図１では固定子鉄心１１と回転子鉄心２１は、等しい枚数の薄板で構成された積層鉄心であり、各ブロック（２１Ａと２１Ｂ）間のスロット位置を０．５スロットピッチ異ならせている。
【００３３】
この結果、固定子鉄心１１と回転子鉄心２１の薄板の枚数が等しいままで、固定子１０よりも回転子２０の積厚を大きくできるため、歩留まりが少なくコストを低減できる。
【００３４】
さらに、各ブロック間のスロット位置を０．５スロットピッチ異ならせて、回転子２０に見かけ上のスキューを持つことに等価とさせたため、異常トルクや振動・騒音を抑制でき、また、スキューによる横流損の発生を防止でき、効率を向上できる。
【００３５】
なお、本実施例では回転子導体２３と、エンドリング２４と、短絡リング２６はアルミダイカスト構造であるが、銅ダイカスト構造でもよい。
【００３６】
また、本実施例では短絡リング２６は単数であるが、複数としてもよく、各ブロック間のスロット位置を異ならせて、回転子２０に見かけ上のスキューを持つことに等価とさせられるため、異常トルクや振動・騒音を抑制でき、また、スキューによる横流損の発生を防止でき、効率を向上できる。
【００３７】
また、本実施例では回転子鉄心２１の薄板の枚数を各ブロックともに等しくしているが、等しくなくてもよく、固定子１０よりも回転子２０の積厚を大きくしているため、磁気抵抗の増大を緩和でき無負荷電流を低減して効率の向上ができる。
【００３８】
次に、第２の具体策について、図３で説明する。
第１の具体策では、「固定子の積厚Ｌｓよりも回転子の積厚Ｌｒを大きく」するために、固定子鉄心１１よりも回転子鉄心２１の占積率を小さくした。つまり、固定子鉄心１１と回転子鉄心２１の薄板の枚数を等しいままで、回転子鉄心２１側の薄板間の隙間を大きくして、上記の関係を達成した。因みに、固定子鉄心１１の占積率をｋｓ、回転子鉄心２１の占積率をｋｒとしたときに、ｋｓ＞ｋｒとしている。
【００３９】
この結果、短絡リング２６を設けずに、固定子１０よりも回転子２０の積厚を大きくしているため、磁気抵抗が小さくなり、無負荷電流が減少して効率が向上する。
【００４０】
また、固定子鉄心１１と回転子鉄心２１の薄板の枚数が等しいままで、固定子１０よりも回転子２０の積厚を大きくできるため、歩留まりが少なくコストを低減できる。
【００４１】
第２の具体策では、以上のようにして、磁気抵抗の増大を緩和し無負荷電流を低減して効率の向上を図っているが、図３はそれ以外にも幾つかの点で工夫されている。具体的には、図３では回転子２０にスキュー（スロット２２と導体２３を斜めにした構造）が施されている。
【００４２】
この場合、回転子鉄心２１の占積率が小さいため、積厚方向の磁気抵抗を大きくすることができ、かつスキューによる積厚方向の漏れ磁束を低減できるため、効率を向上できる。また、スキューを施しているため、異常トルクや振動・騒音を抑制できる。
【００４３】
なお、図で３は、スキューを一様に施しているが、固定子鉄心２１と回転子鉄心２２が対向していない位置（図３のｄとｅの位置）にはスキューを施さなくてもよく、異常トルクや振動・騒音を抑制できる。
【００４４】
図４は、固定子鉄心２１と回転子鉄心２２が対向していない位置（図３のｄとｅの位置）にスキューを施さない（スロット２２と導体２３を斜めにしない）構造を示している。本実施例では、固定子鉄心２１と回転子鉄心２２が対向していない位置（図４のｄとｅの位置）にはスキューを施しておらず、その位置でのスキューによる積厚方向の漏れ磁束を低減でき、効率を向上できる。
【００４５】
また、固定子１０にスキューを施す場合でも、固定子鉄心１１よりも回転子鉄心２１の占積率を小さくし、固定子鉄心１１と回転子鉄心２１の薄板の枚数を等しいままで、固定子１０よりも回転子２０の積厚を大きくすることで、スキューによる積厚方向の漏れ磁束を低減でき、効率を向上できる。
【００４６】
次に、図１の第１の具体策の説明において、「短絡リング２６の幅ａについて図１では回転子スロット２２の間隔ｃの半分としたが、回転子スロット２２の幅ｂ以上、かつ回転子スロット２２の間隔ｃ以下とすればよい」としたので、この点について説明する。
【００４７】
図５は、短絡リング２６の幅ａを、回転子スロット２２の幅ｂと等しくした例である。図５は、図１に比較して、短絡リング２６の幅ａが狭いので、図１の場合よりも短絡リング２６部分の磁気抵抗を小さくでき、効率が向上する。
【００４８】
図６は、短絡リング２６の幅ａを、回転子スロット２２の間隔ｃと等しくした例である。図６は、図１に比較して、短絡リング２６の幅ａが広いので、図１の場合よりも短絡リング２６部分の磁気抵抗が大きくなるが、固定子の積厚Ｌｓと回転子の積厚Ｌｒの差が大きくなる。この場合には、前者の不利益を後者の利益が上回り、総合的には効率が向上する。
【００４９】
以上、図５と図６から、以下のことが言える。
【００５０】
まず、短絡リングの幅ａを小さくすると、短絡リングの磁気抵抗が小さくなり効率を向上させる効果があるが、他方ではＬｒの増加が小さくなり、Ｌｓ＜Ｌｒによる磁気抵抗低減での効率向上の効果が小さくなる。さらに、短絡リングの電流密度が高くなり、短絡リングの銅損が増加して効率を低減させる悪影響を生じる。一般には、短絡リングの幅ａを小さくし過ぎると、悪影響の方が大きくなる。
【００５１】
逆に短絡リングの幅ａを大きくすると、短絡リングの磁気抵抗が大きくなり効率を低減させる悪影響があるが、Ｌｒの増加が大きくなり、Ｌｓ＜Ｌｒによる磁気抵抗低減での効率向上の効果が大きい。但し、短絡リングの幅ａを大きくし過ぎると、悪影響の方が大きくなる。
【００５２】
本発明においては、このように、短絡リングのａの幅は、小さすぎても大きすぎてもダメで、調度良い範囲があり、これがｂ＜ａ＜ｃであるとしている。
【００５３】
以下、図１の第１の具体策の特徴を維持しつつ採用し得る幾つかの変形例について説明する。まず、第１の具体策での第１の変形例は図７に示される。
【００５４】
図７は、図１においてさらに、短絡リング２６がダイカスト部分２６１と非ダイカスト部分２６２に分かれて構成され、固定子鉄心１１は複数のブロック（１１Ａと１１Ｂ）で構成し各ブロック間に空気層を設けている。
【００５５】
このうち、短絡リング２６の特徴について説明する。短絡リング２６はダイカスト部分２６１と非ダイカスト部分２６２に分かれており、ダイカスト部分２６１を導電体材料とすることで、回転子導体２３を短絡している。
【００５６】
このように、短絡リング２６の一部を非ダイカストとすることで、ダイカスト（射込み）で必要なジグが不要となる。つまり、短絡リング２６に非ダイカストの部分がないと、ダイカストをする（鋳込む）際に、短絡リング２６を形作るための専用のジグ（金型）が必要になるが、非ダイカスト部分を金型として使えば、専用の金型が不要になる。
【００５７】
なお、本実施例では、回転子導体２３と、エンドリング２４と、短絡リングのダイカスト部分２６１をアルミダイカスト構造としているが、銅ダイカスト構造としてもよい。
【００５８】
また、本実施例では、非ダイカスト部分２６２を薄板の積層鉄心としているが、塊状のアルミ魂や銅魂としてもよい。図８には、基本的に図７の構造を採用しつつ、非ダイカスト部分２６２を塊状のアルミ魂や銅魂とした例を示す。
【００５９】
また、各ブロック間のスロット位置を０．５スロットピッチ異ならせて、回転子２０に見かけ上のスキューを持つことに等価とさせているため、異常トルクや振動・騒音を抑制でき、また、スキューによる横流損の発生を防止でき、効率を向上できる。
【００６０】
また、固定子鉄心１１は複数のブロック（１１Ａと１１Ｂ）で構成していることで、固定子鉄心１１の各ブロック間に空気層５０を設けている。このため、回転子のスキューによる積厚方向の漏れ磁束を低減でき、効率を向上できる。なお、本実施例では、固定子鉄心１１の各ブロック間を空気層としているが非磁性体であればよく、また各ブロック間はその一部であるならば磁性体としても、スキューによる積厚方向の漏れ磁束の低減による効率向上の効果は期待できる。
【００６１】
図９に、第１の具体策の特徴を維持しつつ実施可能な、第１の具体策の第２の変形例を示す。
【００６２】
この事例では、回転子鉄心２１を左右２つのブロックで構成するときに、回転子鉄心２１の、各ブロック（２１Ａと２１Ｂ）の積厚Ｌｒ１とＬｒ２の大きさを異ならせている。
【００６３】
故意にこのような構成とした理由は、誘導電動機のケーシング内に取り付けるファンにある。通常は、シャフト２５の両端にファンを取り付けるが、誘導電動機の構造によっては両端にファンを設置できない、あるいは設置できても均等に冷却できない事情がある場合がある。このような冷却不均衡が想定される場合に、より強力な冷却が可能な側の発熱が大きくなるように各ブロック（２１Ａと２１Ｂ）の積厚Ｌｒ１とＬｒ２の大きさを調整することで対応が可能である。而して、ファンの取り付け位置などで、各ブロック間で冷却性能が異なる場合、各ブロックの積厚Ｌｒ１とＬｒ２を異ならせることで、各ブロックの温度上昇を均一化できる。因みに図示の例では、積厚の大きいブロック２１Ａの側の発熱が大きいので、シャフトの左側にしか強力なファンを設置できない場合に適している。
【００６４】
図１０に、第１の具体策の第２の変形例の考え方（ブロック分割して積厚不均衡）を利用した、更なる改良を第３の変形例として示す。
【００６５】
この事例では、回転子鉄心２１を左右２つではなく、３つ以上のブロックで構成する。そのうえで、各ブロック（２１Ａ、２１Ｂ、２１Ｃ）のスロット２２の位置を、互い違いに配置する。つまり、各ブロック間のスロット位置を０．５スロットピッチ異ならせている。
【００６６】
この結果、各ブロック間のスロット位置を０．５スロットピッチ異ならせて、回転子２０に見かけ上のスキューを持つことに等価とさせたため、異常トルクや振動・騒音を抑制でき、また、スキューによる横流損の発生を防止でき、効率を向上できる。特に、短絡リング２６を、本実施例では２個とし、３ブロック化していることで、回転子２０に見かけ上のより大きなスキューを持たせたと等価である。
【００６７】
なお、本実施例では回転子鉄心２１を３個のブロックに分けてあり、両端のブロックの幅Ｌｒ１とＬｒ３を等しくして積厚方向に力が発生しないようにしている。ただし、Ｌｒ１とＬｒ３は等しくなくてもよく、その場合でも異常トルクや振動・騒音の抑制効果はある。
【００６８】
また本実施例では中央のブロックの幅Ｌｒ２をＬｒ１とＬｒ３の和と等しくして異常トルクや振動・騒音の抑制効果を最大限発揮できるようにしている。ただし、Ｌｒ２はＬｒ１とＬｒ３の和と等しくなくてもよく、その場合でも異常トルクや振動・騒音の抑制効果はある。
【００６９】
図１１に、第１の具体策の第４の変形例を示す。
ここでは、回転子鉄心２１の積厚は、固定子鉄心１１よりも、ｄおよびｅだけ大きくするが、敢えてｄとｅを等しくしない。図９に明らかなようにｅをｄよりも大きくしている。
【００７０】
故意にこのような構成とした理由は、誘導電動機のシャフト２５に軸方向の力がかかる場合に備えたものである。シャフト２５に外部から外力Ｆが作用している場合に、ｅをｄよりも大きくすることによる軸力Ｇが発生するので、外力Ｆに対向させることができる。
【００７１】
本実施例では、ｄとｅの大きさを異ならせることで、積厚方向の力を発生させることができる。外部からシャフト２５に積厚方向の力を加えられている場合、それとは反対向きに力を発生させるように、ｄとｅの大きさを異ならせることで相殺できる。
【００７２】
なお、この構成は第１の具体策に特有のものではない。積厚の差を固定子側でどのように配分するかということなので、占積率を利用した第２の具体策でも採用し得る構成である。
【００７３】
以上、本発明の基本構成と、その応用事例について詳細に説明した。各事例では詳細に説明しなかったが、各応用事例が、基本構成の有する効果を保持していることはいうまでもない。
【産業上の利用可能性】
【００７４】
本発明によれば、簡便な構成で効率を高くすることができるので、広い分野のかご型誘導電動機に適用が可能である。
【符号の説明】
【００７５】
１０：固定子
１１：固定子鉄心
１２：固定子スロット
１３：固定子巻線
２０：回転子
２１：回転子鉄心
２２：回転子スロット
２３：回転子導体
２４：エンドリング
２５：シャフト
２６：短絡リング
５０：空気層
【図１】
2011211789.tif 000003
【図２】
2011211789.tif 000004
【図３】
2011211789.tif 000005
【図４】
2011211789.tif 000006
【図５】
2011211789.tif 000007
【図６】
2011211789.tif 000008
【図７】
2011211789.tif 000009
【図８】
2011211789.tif 000010
【図９】
2011211789.tif 000011
【図１０】
2011211789.tif 000012
【図１１】
2011211789.tif 000013